(57)【要約】【課題】チャンネル選局操作でできる限り映像を隠さないで自動的に番組の詳細情報まで表示できる表示手段を有する番組情報表示装置を提供する。【解決手段】番組及びサービス付加情報を受信する情報受信手段１００と、情報受信手段１００で受信された番組及びサービス付加情報を記憶する記憶部２５と前記記憶部２５から番組タイトル情報の抜き取り表示を行い、続いて前記記憶部２５から番組詳細情報を抜き取り、１行分の表示領域で水平スクロールしながら全ての番組詳細情報を表示する表示手段とを備えた構成とした。【選択図】図１
2006041671.tif 000002
【特許請求の範囲】
【請求項１】
映像、音声及び／又はデータを含む番組、及び番組に関連する情報であるサービス付加情報から番組情報を表示する番組情報表示装置において、前記番組、及びサービス付加情報を受信する情報受信手段と、前記情報受信手段で受信された番組及びサービス付加情報を記録する記憶手段と、視聴目的番組の番組情報を前記記憶手段で記録した情報から検出する記録部制御手段と、前記記録部制御手段で検出した番組情報から番組タイトル情報を抽出する番組タイトル情報抜き取り手段と、前記記録部制御手段から検出した番組情報から番組詳細情報を抽出する番組詳細情報抜き取り手段と、所定の表示領域に表示する表示手段と、表示時間を制御する表示時間制御手段と、ユーザー操作によるチャンネル切替時毎に視聴番組の番組タイトル情報を前記番組タイトル情報抜き取り手段で抜き取り、前記表示手段で表示し、前記表示時間制御手段が管理する番組タイトル情報表示時間を経過した時点で、前記番組詳細情報抜き取り手段で番組詳細情報を抜き取り、前記表示手段で１行分の表示領域に全ての番組詳細情報を表示することを特徴とする番組情報表示装置。
【発明の詳細な説明】
【技術分野】
【０００１】
本発明は、番組の番組タイトル情報と番組詳細情報を表示する番組情報表示装置に関するものである。
【０００２】
特に、本発明は、番組の視聴を開始する時にその番組のタイトルのみの表示を行うのではなく、ユーザーがチャンネルを切り替えるという最もシンプルな操作のみで、その番組のサービス付加情報を提供する番組情報表示装置である。ここで、サービス付加情報は番組情報を表示するために必要な情報、例えば、番組タイトル、番組の概要、番組の詳細内容、放送時間などの情報を含んだ情報である。
【背景技術】
【０００３】
ユーザー操作によるチャンネル切替に連動してチャンネル番号や番組タイトル情報、番組詳細内容などの番組情報を同時に表示し、ユーザーに瞬時に番組情報を認識させることは一般的に行われている。番組情報の情報量に応じて表示する文字の大きさを変えたり、番組情報を表示する領域の大きさを変えて映像に合成して表示したり、映像を覆い隠す程の情報量の場合は、映像がほとんど見えなくなるので、自動的に映像の大きさを小さくして空いた領域に番組情報を表示する方法は公知である（例えば、特許文献１、特許文献２参照）。
【０００４】
ユーザーが何気なく視聴したい番組を探す場合は、チャンネルのアップ／ダウンキーの操作やチャンネル番号キーを繰り返し操作し、切替表示される番組から興味を持った番組を選択することがある。このときに切り替え表示する番組のタイトルのみを表示することでその番組がどの様な番組であるかは大抵の場合は判断が付くものである。だが、まれに番組タイトル情報のみではその番組の内容までは判断ができない場合がある。この時に番組の概要や詳細情報が提示されることが望まれる。また、番組の概要や詳細情報を提示する機能を有する機器（例えばテレビ）で、その機能を使って番組の概要や詳細情報までを提示させるためには、専用のリモートコントローラ（以下、リモコン）で操作を行わなければ提示することができない場合がほとんどである。
【０００５】
また一般家庭において、テレビのチャンネルを切り替える時には、テレビの専用リモコンを使用する場合もあるが、ビデオなどの他のＡＶ機器のリモコンもしくは、市販されているチャンネル切り替え機能と音量調整機能のみを有するリモコンなどを使用する場合がある。これら番組の概要や番組内容を提示するための専用キーを持たないリモコンを使用してチャンネル切り替えを行うことがある。この場合は興味を持つ番組を探す場合に番組の概要や詳細情報を提示する機能を有しながらこれをユーザーに提供することができない。大抵の番組は番組タイトル情報からその番組の内容が想像できるため、繰り返しチャンネルを切り替えていくうちは、番組タイトル情報のみが表示されれば十分であり、この技術はすでに公知のものである。
【特許文献１】特開２０００−１５２１１２号公報
【特許文献２】特開平０５−２８４４７７号公報
【発明の開示】
【発明が解決しようとする課題】
【０００６】
上述の様なチャンネル番号や番組タイトル、番組の概要や詳細情報を同時に表示する場合は、その情報量が多くなると映像を覆い隠す領域が多くなり、映像が見難くなるという問題があった。この問題を解決するために前記従来の技術では、映像と番組情報を表示する領域を分割し、映像の大きさを変えて映像と番組情報の表示領域が重ならないようにする番組情報表示装置を備えている。しかし映像の大きさを番組情報が重ならずに同時に表示が可能となる大きさに切り替えることで、映像が小さく表示されることはユーザーにとってはあまり好まれるものではない。
【０００７】
また、チャンネルアップ／ダウン、チャンネル番号キーで興味を持つ番組を探す場合に、番組の内容を判断するには大抵の場合は番組タイトル情報のみで十分である。ただ、まれに番組タイトル情報のみでは番組内容を判断できないものがある。
【０００８】
本発明は、ユーザー操作によるチャンネル切替に連動してチャンネル番号と番組タイトル情報、放送時間の番組情報から番組を認識するのに必要最小限の番組タイトル情報のみを表示し、表示した番組タイトル情報が自動でタイムアウトした後に、自動的に番組の概要、番組の詳細情報を１行分の領域で番組詳細情報を映像と合成表示するものである。また、機器専用のリモコンでなくチャンネル切替を行う場合でも、更に詳しい番組の概要や詳細情報が提示できる番組情報表示装置を提供することを目的とする。
【課題を解決するための手段】
【０００９】
前記従来の課題を解決するために、本発明（請求項１）に係る番組情報表示装置は、映像、音声及び／又はデータを含む番組、及び番組に関連する情報であるサービス付加情報から番組情報を表示する番組情報表示装置において、前記番組、及びサービス付加情報を受信する情報受信手段と、前記情報受信手段で受信された番組及びサービス付加情報を記録する記憶手段と、視聴目的番組の番組情報を前記サービス付加情報から検出する記録部制御手段と、前記記録部制御手段から検出した番組情報から番組タイトル情報を抜き取る番組タイトル情報抜き取り手段と、前記記録部制御手段から検出した番組情報から番組詳細情報を抜き取る番組詳細情報抜き取り手段と、所定の表示領域に表示する表示手段と、表示時間を制御する表示時間制御手段により、ユーザー操作によるチャンネル切替時毎に指示した番組の番組タイトル情報を前記番組タイトル情報抜き取り手段で抜き取り、前記表示手段で表示し、前記表示時間制御手段が管理する番組タイトル情報表示時間を経過した時点で前記番組詳細情報抜き取り手段で番組詳細情報を抜き取り、前記表示手段で１行分の表示領域にすべての番組詳細情報を表示することを備えたものである。
【発明の効果】
【００１０】
本発明によりユーザー操作によるチャンネル切替時に、番組タイトル情報抜き取り手段が記憶部制御手段により指示したチャンネルの番組タイトル情報を抜き取り、表示手段により番組タイトル情報を表示する。ここで、番組タイトル情報の表示時間を制御し番組タイトル情報の表示時間が経過した後に番組詳細情報抜き取り手段に番組詳細情報を抜き取り、表示手段により１行分の表示領域で番組詳細情報を水平スクロールで全ての番組詳細情報を表示するといった構成にしたことで、番組タイトル情報のみでは番組の内容が判断できない場合に自動的に番組詳細情報を映像をできる限り隠さないで形で番組詳細情報を表示するため、映像を見ながら番組の内容を容易に判断することが可能となる効果がある。
【発明を実施するための最良の形態】
【００１１】
（実施の形態１）
図１は、本発明の実施の形態１による番組情報表示装置の構成を説明するための図である。以下、図１を用いて前記番組情報表示装置の構成を説明する。１１は静止画像もしくは動画像からなる映像信号、音声信号及び／もしくはデータを含む情報源、１２は映像信号及び／もしくは音声信号を所定の符号化方式、例えばＭＰＥＧ（Ｍｏｖｉｎｇ  Ｐｉｃｔｕｒｅ  Ｉｍａｇｅ  Ｃｏｄｉｎｇ  Ｅｘｐｅｒｔｓ  Ｇｒｏｕｐ）の規格に従って符号化する情報エンコード部、１３は伝送される番組を選択するために必要な情報であるサービス付加情報のうち改めて符号化する必要のない関連情報、及び、番組の内容であるコンテンツのうち改めて符号化の必要のない情報を生成する関連情報生成部である。  関連情報は、例えば番組を構成する映像、音声及びデータの種類、番組番号、放送開始時刻などであり、符号化の必要のない情報である。通常これらの情報は、ＭＰＥＧのシステム規格書（ＧＥＮＥＲＩＣ  ＣＯＤＩＮＧ  ＯＦ  ＭＯＶＩＮＧ  ＰＩＣＴＵＲＥＳ  ＡＮＤ
ＡＳＳＯＣＩＡＴＥＤ  ＡＵＤＩＯ  ：  ＳＹＳＴＥＭ  Ｒｅｃｏｍｍｅｎｄａｔｉｏｎ  Ｈ．２２２．０、ＩＳＯ／ＩＥＣ  １３８１８−１）、または欧州のデジタル放送規格であるＤＶＢのシステム規格書（Ｄｉｇｉｔａｌ  ＶｉｄｅｏＢｒｏａｄｃａｓｔｉｎｇ（ＤＶＢ）ｓｙｓｔｅｍｓ、ＥＴＳ  ３００４６８、Ｊａｎｕａｒｙ  １９９６）の規格に基づいて生成される。
【００１２】
また、１４は符号化された信号と関連情報を多重化する多重化部、１５は伝送誤りに対する保護のためデータを加工する誤り訂正符号手段およびデジタル信号を送出するためのデジタル変調手段を含むチャンネルエンコード部である。また、１６は送信機、実際の伝送路、及び情報受信装置側のチューナで構成される伝送路である。また、１００は情報受信手段であり、１７はデジタル変調された信号を復調するデジタル復調手段と伝送路１６にて発生するデータ誤りに対する誤り訂正手段とで構成されるチャンネルデコード部、１８はチャンネルデコード部１７より出力された多重化されたデジタル信号を、符号化された映像信号、音声信号及び／もしくはデータ信号と関連情報とに多重分離する多重分離部、１９は前記符号化された信号を映像信号及び／もしくは音声信号に復号化する情報デコード部、２０は多重分離部１８から入力される復号化する必要のない関連情報を処理する関連情報処理部、２１は情報デコード部１９と関連情報処理部２０から出力される映像、音声及び／またはデータを合成する情報合成部、２４は情報合成部２１で合成された映像、音声及び／及びデータを出力する情報出力部である。
【００１３】
また２３は情報合成部２１の出力および外部信号入力部２２を介して入力される外部制御信号を入力とし、番組タイトル情報や番組詳細情報を作成して出力するとともに、番組やサービス付加情報等の信号の記録を制御する入出力情報制御部、即ち番組情報表示装置である。また、２５は入出力情報制御部２３が出力する番組タイトル情報や番組詳細情報を作成するためのサービス付加情報を記憶する記憶部２５、即ち記憶手段である。
【００１４】
図２は本実施の形態１の番組情報表示装置、即ち入出力情報制御部２３の詳細な構成を示す図である。
【００１５】
図２において、２３ａは入出力情報制御部２３を介する情報の制御を行う中央処理装置（以降、ＣＰＵと記す）である。２３ｂはＣＰＵ２３ａに接続された各手段を制御するためのコンピュータプログラムが格納されたプログラムＲＯＭであり、ＣＰＵ２３ａがデータの書き込み、読み出し、検索などの制御を行うために用いられる。２３ｃはＣＰＵ２３ａが情報の演算、制御を行うときに一時的に情報を格納するためのワークＲＡＭである。２３ｄは情報合成部２１との間で映像、音声及び／又はデータからなる情報の受け渡しを行なう情報入出力手段である。
【００１６】
２３ｅは外部信号入力部２２を介してユーザーによるチャンネル切換等の外部制御信号を入力する外部信号入力手段である。２３ｆは現在の時刻を計数する時計手段である。２３ｇは後述する表示手段２３ｋが番組タイトル情報や番組詳細情報を表示する時間の制御を行う表示時間制御手段である。記憶部制御手段２３ｈは情報合成部２１から受け取った情報を記憶手段２５への記録、読み出しの制御を行う手段であり、更に、この記憶部制御手段２３ｈは情報合成部２１から受け取ったサービス付加情報を記憶部２５に記録し、また、番組タイトル情報や番組詳細情報を抜き取るために必要なサービス付加情報を記憶部２５から読み出して後述する番組タイトル情報抜き取り手段２３ｉと番組詳細情報抜き取り手段２３ｊに提供する手段である。番組タイトル情報抜き取り手段２３ｉは記憶部２５に記憶されたサービス付加情報から番組タイトル情報の抜き取りを行うものである。
【００１７】
番組詳細情報抜き取り手段２３ｊは記憶部２５に記憶されたサービス付加情報から番組詳細情報の抜き取りを行うものである。表示手段２３ｋは番組タイトル情報抜き取り手段２３ｉと番組詳細情報抜き取り手段２３ｊで抜き取られた番組タイトル情報、番組詳細情報を表示時間制御手段２３ｇが制御する時間に従って表示を行い、情報出力部２４に対し出力する手段である。
【００１８】
次に、本実施の形態１による番組情報表示装置の動作について説明する。まず、情報の送り手側において、情報エンコード部１２は情報源１１からの静止画像もしくは動画像からなる映像信号、音声信号及び／またはデータを符号化方式、例えばＭＰＥＧに規定される符号化方式に従って符号化し、また関連情報生成部１３は番組を選択するために必要なサービス付加情報、例えば番組のジャンル、データサイズ番組開始時刻及び番組終了時刻等の時間情報、などの情報のうち符号化の必要のない情報を生成し、多重化部１４は情報エンコード部１２と関連情報生成部１３から出力される信号を多重化する。その多重化は、例えばＭＰＥＧのシステム規格書もしくは欧州のデジタル放送規格であるＤＶＢのシステム規格書に従って行なわれる。チャンネルエンコード部１５は多重化されたデジタル信号に、伝送誤りに対する保護のためにデータを加工する誤り訂正符号手段及びデジタル信号を送出するためのデジタル変調手段である。伝送路１６はチャンネルエンコード部１５の出力信号を伝送する実際の伝送路である。
【００１９】
一方、情報受信手段１００側においては、チャンネルデコード部１７は伝送路１６で伝送された信号に対し、デジタル復調、及び誤り訂正処理を行う。このチャンネルデコード部１７は、チャンネルエンコード部１５と逆の処理を行い、多重化部１４が出力する信号と同じ信号を多重分離部１８へ出力する。多重分離部１８は、チャンネルエンコード部１７の出力信号の多重分離を行い、多重分離された信号は情報デコード部１９及び関連情報処理部２０に出力される。情報デコード部１９は入力される符号化された信号を例えばＭＰＥＧの規格に従って、映像もしくは音声信号等に復号化する。情報合成部２１は情報デコード部１９及び関連情報処理部２０から出力される信号を合成し、情報出力部２４及び入出力情報制御部２３に出力する。情報出力部２４に出力された信号は、映像信号は例えばモニタ表示部に、音声信号は例えばスピーカに、データ信号は例えばコンピュータ等に出力される。また、入出力情報制御部２３は、情報合成部２１から出力されるサービス付加情報を記憶部制御手段２３ｈを介して記憶部２５に記録する。前記の情報受信装置側の動作は図４（ａ）のステップ１とステップ２に示されている。
【００２０】
次に、ユーザーにより指示された番組の番組タイトル情報と番組詳細情報を表示する動作について説明する。
【００２１】
ユーザーは、指示する番組切替要求の外部制御信号を外部信号入力部２２を介して入出力情報制御部２３に入力する。番組タイトル情報抜き取り手段２３ｉは、ユーザーによる番組切替要求（図４（ｂ）ステップ３）に応じて記憶部２５に記憶されたサービス付加情報を記憶部制御手段２３ｈを介して読み出し、このサービス付加情報から番組タイトル情報を抜き出し表示手段２３ｋで情報出力部２４に出力する（図４（ｂ）ステップ４）。このときに表示時間制御手段２３ｇは予め設定された番組タイトル情報の表示時間の計測を開始する。番組タイトル情報の表示時間が経過した時点で、続いて番組詳細情報抜き取り手段２３ｊは、表示時間制御手段２３ｇの指示により、番組タイトル情報抜き取り手段２３ｉと同様にサービス付加情報から番組詳細情報を抜き出し表示手段２３ｋで情報出力部２４に出力する（図４（ｂ）ステップ５）。
【００２２】
ユーザーが番組を指示するために例えばリモコン装置などを用いて行われる。表示手段２３ｋは表示する情報が表示領域内に収まる場合は例えば図３（ａ）のような形式で表示する。特に番組タイトル情報を表示する場合に用いられる表示形式である。また、表示手段２３ｋは表示する情報が表示領域内に収まらない場合は例えば図３（ｂ）のような形式で表示する。図３（ｂ）が示す表示形式は一度に表示することができない情報を水平スクロールで順次表示していくものである。特に番組詳細情報を表示する場合に用いられる表示形式である。
【００２３】
以上のように本発明の番組情報表示装置によれば、ユーザー操作によるチャンネル切替に連動して番組タイトル情報を表示し、表示した番組タイトル情報がタイムアウトした後に、番組詳細情報を１行分の領域で全ての情報を表示することができ、番組タイトル情報のみでは番組の内容を判断することができないときにはその内容を判断することが可能になる。
【００２４】
なお、上記の実施の形態１では、表示手段２３ｋが表示する領域内に収まらない情報を表示する場合に１行分の領域で全ての情報を表示するために水平スクロールで順次表示する例を説明したが、映像を著しく覆い隠さないと判断できる範囲であればこれを複数行にして表示する表示手段を備えた構成としたり、１行分の領域で表示できる情報を表示したあとに、表示できなかった情報を表示できる領域分の情報を順次ページとして切替て表示する表示手段を備えた構成としても、ユーザーが全ての番組詳細情報を読み取ることができるので、番組タイトル情報のみでは番組の内容を判断することができないときには番組詳細情報から番組の内容が判断できるという同様の効果を得ることができる。
【００２５】
なお、上記実施の形態１では、ユーザー操作によるチャンネル切替に連動して番組が切り替えられる場合の動作について説明したが、チャンネルは変わらずとも視聴している番組が終了し、異なる番組が始まることを監視する番組監視手段を備えた構成としても、番組が変わった時に次に始まる番組の番組タイトル情報を表示し、番組タイトル情報表示時間を経過した時点で番組詳細情報を表示することで、番組タイトル情報のみでは次に始まる番組の内容を判断できないときには番組詳細情報から番組の内容が判断できるという同様の効果を得ることができる。
【産業上の利用可能性】
【００２６】
本発明の番組情報表示装置は、ユーザー操作によるチャンネル切替時に、番組タイトル情報のみでは番組の内容を判断できないときに、自動的に番組詳細情報をできるだけ映像を隠さないで表示することで番組内容を判断できる効果を有し、番組詳細情報を表示する専用リモコンボタンを持たない場合に番組詳細情報を表示する用途にも適用できる。
【図面の簡単な説明】
【００２７】
【図１】本発明の実施の形態１における番組情報表示装置、及び、それに関連する送信装置と情報受信装置の構成を示す図
【図２】本発明の実施の形態１における番組情報表示装置の詳細な構成を示す図
【図３】（ａ）本発明の実施の形態１における番組情報表示装置の番組タイトル情報を表示する表示手段の一例を示す図、（ｂ）同番組情報表示装置の番組詳細情報を表示する表示手段の一例を示す図
【図４】（ａ）本発明の実施の形態１における番組情報表示装置のサービス付加情報を記録する動作のフローを示す図、（ｂ）同番組情報表示装置の番組タイトル情報と番組詳細情報を表示する動作のフローを示す図
【符号の説明】
【００２８】
１１    情報源
１２    情報エンコード部
１３    関連情報生成部
１４    多重化部
１５    チャンネルエンコード部
１６    伝送路
１７    チャンネルデコード部
１８    多重分離部
１９    情報デコード部
２０    関連情報処理部
２１    情報合成部
２２    外部信号入力部
２３    入出力情報制御部
２３ａ    ＣＰＵ
２３ｂ    プログラムＲＯＭ
２３ｃ    ワークＲＡＭ
２３ｄ    情報入出力手段
２３ｅ    外部信号入力手段
２３ｆ    時計手段
２３ｇ    表示時間制御手段
２３ｈ    記憶部制御手段
２３ｉ    番組タイトル情報抜き取り手段
２３ｊ    番組詳細情報抜き取り手段
２３ｋ    表示手段
２４    情報出力部
２５    記憶部
１００    情報受信手段
【図１】
2006041671.tif 000003
【図２】
2006041671.tif 000004
【図３】
2006041671.tif 000005
【図４】
2006041671.tif 000006